(57)【要約】【課題】広告画像配信サーバが提供する広告画像を指定された期間、携帯通信端末に確実に表示させる。【解決手段】広告画像配信サーバと携帯通信端末とを通信ネットワークで結ぶ。携帯通信端末は画像表示手段、広告画像とその表示期限を記憶する広告画像情報記憶手段、広告画像制御手段を備える。広告画像制御手段は広告画像情報記憶手段の記憶する広告画像を通信待ち受け状態において表示手段に待ち受け画像として表示させる。現在時刻が広告画像情報記憶手段の記憶する表示期限を過ぎている場合にユーザより新たな広告画像を取得する指示を受けた時は、広告画像配信サーバに自己の携帯通信端末を特定する情報を送信して新たな広告画像と表示期限とを取得し、広告画像情報記憶手段の記憶する対応情報の更新を行なう。【選択図】図１
2008022586.tif 000002
【特許請求の範囲】
【請求項１】
携帯通信端末に広告画像を配信してその表示装置に表示させる広告画像配信表示システムであって、
広告画像配信サーバと携帯通信端末とを通信ネットワークで結んで構成され、
前記携帯通信端末は、画像を表示する表示手段と、前記広告画像とその表示期限を記憶する広告画像情報記憶手段と、広告画像制御手段とを備え、
該広告画像制御手段は、前記広告画像情報記憶手段の記憶する前記広告画像を通信待ち受け状態において前記表示手段に待ち受け画像として表示させ、
現在時刻が前記広告画像情報記憶手段の記憶している前記表示期限を過ぎている場合においてユーザより前記広告画像配信サーバから新たな広告画像を取得する指示を受けた場合には、前記広告画像配信サーバと交信して自己の携帯通信端末を特定する情報を送信して新たな広告画像とその表示期限の送信を要求し、
該要求に応えて前記広告画像配信サーバが送信する新たな広告画像とその表示期限を受信し、受信した情報により前記広告画像情報記憶手段が記憶している対応する情報の更新を行なうように構成してあることを特徴とする広告画像配信表示システム。
【請求項２】
請求項１に記載の広告画像配信表示システムにおいて、前記広告画像情報記憶手段は複数の広告画像と、それら広告画像の表示順序、及びそれら広告画像群の表示期限を記憶し、
前記広告画像制御手段は、前記表示手段に待ち受け画像を表示させる際には前記表示順序に従って広告画像を選択して表示させ、
前記広告画像配信サーバは、前記携帯通信端末からの前記要求に対して複数の新たな広告画像とそれらの表示順序及びそれら広告画像群の表示期限を送信し、
それら情報を受信した前記広告画像制御手段は、受信した情報により前記広告画像情報記憶手段が記憶している対応する情報の更新を行なうように構成してあることを特徴とする広告画像配信表示システム。
【請求項３】
請求項１又は２に記載の広告画像配信表示システムにおいて、前記携帯通信端末は一般画像記憶手段を更に備え、
前記広告画像制御手段は、現在時刻が前記広告画像情報記憶手段に記憶している前記表示期限を過ぎている場合においてユーザより前記一般画像記憶手段に記憶している特定画像を新たな待ち受け画像として設定する指示を受けた場合には、該特定画像により前記広告画像情報記憶手段の記憶する前記広告画像を更新すると共に前記表示期限を現在時刻にて更新し、
現在時刻が前記広告画像情報記憶手段に記憶している前記表示期限を過ぎていない場合は、該記憶手段が記憶している前記広告画像と表示期限の更新を受け付けないように構成してあることを特徴とする広告画像配信表示システム。
【請求項４】
請求項１又は２に記載の広告画像配信表示システムにおいて、前記広告画像制御手段は、前記広告画像情報記憶手段の記憶する広告画像を前記表示手段に待ち受け画像として表示する代わりに、現在時刻が前記広告画像情報記憶手段に記憶している前記表示期限を過ぎていない場合において前記表示手段に表示される操作画像がユーザの操作により切り替えられた際に、新たな操作画像が表示される前の所定時間の間、前記広告画像を表示させるように構成してあることを特徴とする広告画像配信表示システム。
【請求項５】
請求項１乃至４の何れかに記載の広告画像配信表示システムにおいて、前記広告画像制御手段は、現在時刻が前記広告画像情報記憶手段に記憶している表示期限を過ぎている場合には、前記表示手段に広告画像を表示させる際に、表示期限が過ぎている旨を表示画像に重畳して表示させるように構成してあることを特徴とする広告画像配信表示システム。
【請求項６】
請求項１乃至５の何れかに記載の広告画像配信表示システムにおいて、前記表示期限は義務的な最小の表示回数と読み替え、前記現在時刻が表示期限を過ぎていることは現在までの表示回数が前記義務的な最小の表示回数を超えていることと読み替えたことを特徴とする広告画像配信表示システム。
【請求項７】
請求項１乃至６の何れかに記載の広告画像配信表示システムにおいて、前記広告画像配信サーバはユーザの携帯通信端末を特定する情報に対応させてそのユーザの氏名、性別、年齢等のユーザ情報を予め記憶させたユーザ情報データベースを備え、ユーザの携帯通信端末よりその携帯通信端末を特定する情報を添付して広告画像の要求があった場合には、該ユーザに関するユーザ情報を前記ユーザ情報データベースから読み出し、該ユーザに対して高い広告効果を期待できる広告画像を選択して送信するように構成してあることを特徴とする広告画像配信表示システム。
【請求項８】
通信ネットワークを介して広告画像配信サーバと交信可能な携帯通信端末であって、
画像を表示する表示手段と、広告画像とその表示期限を記憶する広告画像情報記憶手段と、広告画像制御手段とを備え、
該広告画像制御手段は、前記広告画像情報記憶手段の記憶する前記広告画像を前記表示手段に待ち受け画像として表示させ、
現在時刻が前記広告画像情報記憶手段の記憶している前記表示期限を過ぎている場合においてユーザより前記広告画像配信サーバから新たな広告画像を取得する指示を受けた場合には、前記広告画像配信サーバと交信して自己の携帯通信端末を特定する情報を送信して新たな広告画像とその表示期限の送信を要求し、
該要求に応えて前記広告画像配信サーバが送信する新たな広告画像とその表示期限とを受信し、受信した情報により前記広告画像情報記憶手段が記憶している対応する情報の更新を行なうように構成してあることを特徴とする携帯通信端末。
【請求項９】
請求項８に記載の携帯通信端末において、前記広告画像情報記憶手段は複数の広告画像と、それら広告画像の表示順序、及びそれら広告画像群の表示期限を記憶し、
前記広告画像制御手段は、前記表示手段に待ち受け画像を表示させる際には前記表示順序に従って広告画像を選択して表示させ、
前記携帯通信端末からの前記要求に応えて前記広告画像配信サーバが送信する複数の新たな広告画像とそれらの表示順序及びそれら広告画像群の表示期限を受信して前記広告画像情報記憶手段が記憶している対応する情報の更新を行なうように構成してあることを特徴とする携帯通信端末。
【請求項１０】
請求項８又は９に記載の携帯通信端末において、該携帯通信端末は一般画像記憶手段を更に備え、
前記広告画像制御手段は、現在時刻が前記広告画像情報記憶手段に記憶している前記表示期限を過ぎている場合においてユーザより前記一般画像記憶手段に記憶している特定画像を新たな待ち受け画像として設定する指示を受けた場合には、該特定画像の情報により前記広告画像情報記憶手段の記憶する前記広告画像を更新すると共に前記表示期限を現在時刻にて更新し、
現在時刻が前記広告画像情報記憶手段に記憶している前記表示期限を過ぎていない場合は、該記憶手段が記憶している前記広告画像と表示期限の更新を受け付けないように構成してあることを特徴とする携帯通信端末。
【請求項１１】
請求項８又は９に記載の携帯通信端末において、前記広告画像制御手段は、現在時刻が前記広告画像情報記憶手段に記憶している前記表示期限を過ぎている場合には、前記表示手段に広告画像を表示させる際に、表示期限が過ぎている旨を表示画像に重畳して表示させるように構成してあることを特徴とする携帯通信端末。
【請求項１２】
請求項８又は９に記載の携帯通信端末において、前記広告画像制御手段は、前記広告画像情報記憶手段の記憶する前記広告画像を前記表示手段に待ち受け画像として表示する代わりに、現在時刻が前記広告画像情報記憶手段に記憶している前記表示期限を過ぎていない場合において前記表示手段に表示される操作画像がユーザの操作により切り換えられた際に、新たな操作画像が表示される前の所定時間の間、前記広告画像を表示させるように構成してあることを特徴とする携帯通信端末。
【請求項１３】
請求項８乃至１２の何れかに記載の携帯通信端末において、前記表示期限は義務的な最小の表示回数と読み替え、前記現在時刻が表示期限を過ぎていることは現在までの表示回数が前記義務的な最小の表示回数を超えていることと読み替えたことを特徴とする携帯通信端末。
【発明の詳細な説明】
【技術分野】
【０００１】
本発明は、携帯通信端末の表示装置に携帯電話会社、広告代理店等が提供する広告画像を指定された期間の間、確実に表示させる広告画像の配信、表示技術に関する。
【背景技術】
【０００２】
携帯電話機が着信を待ち受けでいる状態においては、その表示装置には操作画像が表示されている場合を除き、いわゆる待ち受け画像が表示される。待ち受け画像は携帯電話機の機種によっては変更できないものもあるが、最近の機種はユーザが好みの画像を設定できるようになっているものが多い。そうした機種では、ユーザはディジタルカメラで撮った画像、インターネットを介してダウンロードした画像、メールに添付して送られてきた画像等の中から好みの画像を選択して待ち受け画像として表示させている。画像情報は携帯電話機のメモリに一旦、記憶され、ユーザの特別操作により待ち受け画像として設定される。
【０００３】
このようにユーザが好みの画像を待ち受け画像として設定する方式の他に、待ち受け画像として広告画像を表示させる技術も提案されている（例えば、特許文献１）。しかし、待ち受け画像として広告画像を表示させるように自動設定したとしても、ユーザが好みの画像で上書きしたのでは広告の効果が上がらない。そのため、広告画像が表示された回数や時間を計測して広告配信サーバに報告し、その回数や時間に応じて景品を提供するシステムが提案されている（特許文献２）。しかし、回数や時間を計測することは面倒である上、それらの情報を定期的に広告配信サーバへ報告するには通信費用がかさむ問題もある。
【特許文献１】特開２００２−１４０６２４号公報
【特許文献２】特開２００６−０７９２０３号公報
【発明の開示】
【発明が解決しようとする課題】
【０００４】
本発明は、従来技術のこうした問題点を解決するためになされたもので、その課題はユーザの携帯通信端末の表示装置に広告画像配信サーバが提供する広告画像を指定された期間、確実に表示させることを保証する携帯通信端末への広告画像配信表示システム、及びそれに使用する携帯通信端末を提供することにある。
【課題を解決するための手段】
【０００５】
前記課題を解決するための請求項１に記載の発明は、携帯通信端末に広告画像を配信してその表示装置に表示させる広告画像配信表示システムであって、広告画像配信サーバと携帯通信端末とを通信ネットワークで結んで構成され、携帯通信端末は画像を表示する表示手段と、広告画像とその表示期限を記憶する広告画像情報記憶手段と、広告画像制御手段とを備え、広告画像制御手段は広告画像情報記憶手段の記憶する広告画像を通信待ち受け状態において表示手段に待ち受け画像として表示させ、現在時刻が広告画像情報記憶手段の記憶している表示期限を過ぎている場合においてユーザより広告画像配信サーバから新たな広告画像を取得する指示を受けた場合には、広告画像配信サーバと交信して自己の携帯通信端末を特定する情報を送信して新たな広告画像とその表示期限の送信を要求し、その要求に応えて広告画像配信サーバが送信する新たな広告画像とその表示期限を受信し、受信した情報により広告画像情報記憶手段が記憶している対応する情報の更新を行なうように構成してあることを特徴とする広告画像配信表示システムである。
【０００６】
本構成の広告画像配信表示システムによれば、広告画像配信サーバより取得して広告画像情報記憶手段に記憶された広告画像は、表示期限が過ぎるまで必ず待ち受け画像として使用されることが保証される。また、広告画像配信サーバの設置者はユーザを特定できるので、その広告画像の使用に対して通話料金の割引、景品の提供等の特典をユーザに提供することで、ユーザはその特典を享受することができる。
【０００７】
また、請求項２に記載の発明は、請求項１に記載の広告画像配信表示システムにおいて、広告画像情報記憶手段は複数の広告画像と、それら広告画像の表示順序、及びそれら広告画像群の表示期限を記憶し、広告画像制御手段は表示手段に待ち受け画像を表示させる際には前記表示順序に従って広告画像を選択して表示させ、広告画像配信サーバは携帯通信端末からの要求に対して複数の新たな広告画像とそれらの表示順序及びそれら広告画像群の表示期限を送信し、それら情報を受信した広告画像制御手段は受信した情報により広告画像情報記憶手段が記憶している対応する情報の更新を行なうように構成してあることを特徴とする広告画像配信表示システムである。
【０００８】
本構成の広告画像配信表示システムによれば、携帯通信端末の待ち受け画像として表示させる広告画像を複数準備し、それらを切り替えて表示させることができる。また、各広告画像の表示頻度を変えたい場合は、その表示頻度の割合に従った表示順序を作成しておくことで、特定の広告画像の表示頻度を他の広告画像より高くすることもできる。
【０００９】
また、請求項３に記載の発明は、請求項１又は２に記載の広告画像配信表示システムにおいて、携帯通信端末は一般画像記憶手段を更に備え、広告画像制御手段は現在時刻が広告画像情報記憶手段に記憶している表示期限を過ぎている場合においてユーザより一般画像記憶手段に記憶している特定画像を新たな待ち受け画像として設定する指示を受けた場合には、その特定画像により広告画像情報記憶手段の記憶する広告画像を更新すると共に表示期限を現在時刻にて更新し、現在時刻が広告画像情報記憶手段に記憶している表示期限を過ぎていない場合は、該記憶手段が記憶している広告画像と表示期限の更新を受け付けないように構成してあることを特徴とする広告画像配信表示システムである。
【００１０】
本構成の広告画像配信表示システムによれば、広告画像の表示期限が過ぎてしまえば、ユーザは新たな広告画像を取得して待ち受け画像として使用することも、あるいは、自分の好む特定画像を待ち受け画像として使用することも任意に選択することができる。
【００１１】
また、請求項４に記載の発明は、請求項１又は２に記載の広告画像配信表示システムにおいて、広告画像制御手段は広告画像情報記憶手段の記憶する広告画像を表示手段に待ち受け画像として表示する代わりに、現在時刻が広告画像情報記憶手段に記憶している表示期限を過ぎていない場合において表示手段に表示される操作画像がユーザの操作により切り替えられた際に、新たな操作画像が表示される前の所定時間の間、前記広告画像を表示させるように構成してあることを特徴とする広告画像配信表示システムである。
【００１２】
本構成の広告画像配信表示システムによれば、広告画像配信サーバより取得して広告画像情報記憶手段に記憶された広告画像は、表示期限が過ぎるまでは表示手段に表示される操作画像が切り替えられる度に短時間表示される。その表示は、表示期限が過ぎるまで必ず行なわれることが保証される。また、広告画像配信サーバの設置者はユーザを特定できるので、その広告画像の使用に対して通話料金の割引、景品の提供等の特典をユーザに提供することで、ユーザはその特典を享受することができる。
【００１３】
また、請求項５に記載の発明は、請求項１乃至４の何れかに記載の広告画像配信表示システムにおいて、広告画像制御手段は現在時刻が広告画像情報記憶手段に記憶している表示期限を過ぎている場合には、表示手段に広告画像を表示させる際に、表示期限が過ぎている旨を表示画像に重畳して表示させるように構成してあることを特徴とする広告画像配信表示システムである。
【００１４】
このような構成によれば、広告画像の表示期限が過ぎていることにユーザは容易に気づくことができる。
【００１５】
また、請求項６に記載の発明は、請求項１乃至５の何れかに記載の広告画像配信表示システムにおいて、表示期限は義務的な最小の表示回数と読み替え、現在時刻が表示期限を過ぎていることは現在までの表示回数が義務的な最小の表示回数を超えていることと読み替えたことを特徴とする広告画像配信表示システムである。
【００１６】
本構成の広告画像配信表示システムによれば、広告画像配信サーバより取得して広告画像情報記憶手段に記憶された広告画像は、義務的な表示回数だけ表示されるまでは必ず使用されることが保証される。また、広告画像配信サーバの設置者はユーザを特定できるので、その広告画像の使用に対して通話料金の割引、景品の提供等の特典をユーザに提供することで、ユーザはその特典を享受することができる。
【００１７】
また、請求項７に記載の発明は、請求項１乃至６の何れかに記載の広告画像配信表示システムにおいて、広告画像配信サーバはユーザの携帯通信端末を特定する情報に対応させてそのユーザの氏名、性別、年齢等のユーザ情報を予め記憶させたユーザ情報データベースを備え、ユーザの携帯通信端末よりその携帯通信端末を特定する情報を添付して広告画像の要求があった場合には、該ユーザに関するユーザ情報を前記ユーザ情報データベースから読み出し、該ユーザに対して高い広告効果を期待できる広告画像を選択して送信するように構成してあることを特徴とする広告画像配信表示システムである。
【００１８】
このような構成によれば、広告画像配信サーバの設置者は各ユーザに対して最も効果的な広告画像を配信することができる。
【００１９】
また、請求項８に記載の発明は、通信ネットワークを介して広告画像配信サーバと交信可能な携帯通信端末であって、画像を表示する表示手段と、広告画像とその表示期限を記憶する広告画像情報記憶手段と、広告画像制御手段とを備え、その広告画像制御手段は、広告画像情報記憶手段の記憶する前記広告画像を前記表示手段に待ち受け画像として表示させ、現在時刻が広告画像情報記憶手段の記憶している表示期限を過ぎている場合においてユーザより広告画像配信サーバから新たな広告画像を取得する指示を受けた場合には、広告画像配信サーバと交信して自己の携帯通信端末を特定する情報を送信して新たな広告画像とその表示期限の送信を要求し、該要求に応えて広告画像配信サーバが送信する新たな広告画像とその表示期限を受信し、受信した情報により広告画像情報記憶手段が記憶している対応する情報の更新を行なうように構成してあることを特徴とする携帯通信端末である。
【００２０】
このような構成の携帯通信端末は、請求項１に記載の発明と同様な効果を奏する。
【００２１】
また、請求項９に記載の発明は、請求項８に記載の携帯通信端末において、広告画像情報記憶手段は複数の広告画像と、それら広告画像の表示順序、及びそれら広告画像群の表示期限を記憶し、広告画像制御手段は、表示手段に待ち受け画像を表示させる際には表示順序に従って広告画像を選択して表示させ、携帯通信端末からの要求に応えて広告画像配信サーバが送信する複数の新たな広告画像とそれらの表示順序及びそれら広告画像群の表示期限を受信して広告画像情報記憶手段が記憶している対応する情報の更新を行なうように構成してあることを特徴とする携帯通信端末である。
【００２２】
本構成の携帯通信端末によれば、待ち受け画像として表示させる広告画像を複数準備し、それらを切り替えて表示させることができる。また、各広告画像の表示頻度を変えたい場合は、その表示頻度の割合に従った表示順序を作成しておくことで、特定の広告画像の表示頻度を他の広告画像より高くすることもできる。
【００２３】
また、請求項１０に記載の発明は、請求項８又は９に記載の携帯通信端末において、携帯通信端末は一般画像記憶手段を更に備え、広告画像制御手段は、現在時刻が広告画像情報記憶手段に記憶している表示期限を過ぎている場合においてユーザより一般画像記憶手段に記憶している特定画像を新たな待ち受け画像として設定する指示を受けた場合には、該特定画像の情報により広告画像情報記憶手段の記憶する広告画像を更新すると共に表示期限を現在時刻にて更新し、現在時刻が広告画像情報記憶手段に記憶している表示期限を過ぎていない場合は、該記憶手段が記憶している広告画像と表示期限の更新を受け付けないように構成してあることを特徴とする携帯通信端末である。
【００２４】
このような構成の携帯通信端末は、請求項３に記載の発明と同様な効果を奏する。
【００２５】
また、請求項１１に記載の発明は、請求項８又は９に記載の携帯通信端末において、広告画像制御手段は、現在時刻が広告画像情報記憶手段に記憶している表示期限を過ぎている場合には、表示手段に広告画像を表示させる際に、表示期限が過ぎている旨を表示画像に重畳して表示させるように構成してあることを特徴とする携帯通信端末である。
【００２６】
このような構成によれば、広告画像の表示期限が過ぎていることにユーザは容易に気づくことができる。
【００２７】
また、請求項１２に記載の発明は、請求項８又は９に記載の携帯通信端末において、広告画像制御手段は、広告画像情報記憶手段の記憶する広告画像を表示手段に待ち受け画像として表示する代わりに、現在時刻が広告画像情報記憶手段に記憶している表示期限を過ぎていない場合において表示手段に表示される操作画像がユーザの操作により切り換えられた際に、新たな操作画像が表示される前の所定時間の間、前記広告画像を表示させるように構成してあることを特徴とする携帯通信端末である。
【００２８】
このような構成の携帯通信端末は、請求項４に記載の発明と同様な効果を奏する。
【００２９】
また、請求項１３に記載の発明は、請求項８乃至１２の何れかに記載の携帯通信端末において、表示期限は義務的な最小の表示回数と読み替え、現在時刻が表示期限を過ぎていることは現在までの表示回数が義務的な最小の表示回数を超えていることと読み替えたことを特徴とする携帯通信端末である。
【００３０】
このような構成の携帯通信端末は、請求項５に記載の発明と同様な効果を奏する。
【発明を実施するための最良の形態】
【００３１】
以下、本発明に係る広告画像配信表示システムを実施形態に分けて図面を参照して説明する。
（第１の実施形態）
図１は、第１の実施形態に係る広告画像配信表示システム１の全体構成をブロック図で示したものである。広告画像配信表示システム１は、広告画像配信サーバ３の配信する広告画像がユーザの携帯通信端末２の表示装置に指定された期間、待ち受け画像として表示されるようにするシステムである。
【００３２】
広告画像配信表示システム１は、複数のユーザが所有する携帯通信端末２と、携帯電話会社、広告代理店等が設置する広告画像配信サーバ３とを通信ネットワーク４で結んで構成されている。携帯通信端末２は、例えば、携帯電話機である。通信ネットワーク４は、例えば、インターネット６と携帯電話網７を図示しない中継サーバで接続した通信ネットワークである。広告画像配信サーバ３は、インターネット６に接続されている。携帯通信端末２は携帯電話網７の基地局８、携帯電話網７、インターネット６を介して広告画像配信サーバ３と交信を行なうことができる。
【００３３】
広告画像配信サーバ３は、大容量の記憶装置９を備えたコンピュータ１０で構成されている。記憶装置９には、ユーザ情報データベース１２と広告画像データベース１３とが格納されている。ユーザ情報データベース１２には、各ユーザの携帯通信端末２を特定するコード情報（ＩＤ）に対応付けてそのユーザの氏名、性別、年齢、職業、趣味等のユーザ情報が予め記憶させてある。また、広告画像データベース１３には、広告をその画像中に含む多数の広告画像が記憶させてある。更に、その広告画像が、どのようなユーザに対して広告効果が高いかの情報や、使用する優先順位等も記憶させてある。
【００３４】
図２は、携帯通信端末２の構成をブロック図で示したものである。携帯通信端末２は、制御回路２１、記憶装置２２、表示装置２３、入力装置２４、無線回路２５、音声回路２６、計時回路２７を備えて構成されている。制御回路２１は、携帯通信端末２の制御全般を司るもので、公知の中央演算装置（ＣＰＵ）、クロック発生回路、電源回路等を備えて構成されている。
【００３５】
表示装置２３は、待ち受け画像を含む各種画像、出力情報、入力情報等を表示するためのもので、液晶表示パネル、駆動回路等を備えて構成されている。入力装置２４は各種情報を入力するためのもので、キーボード、タッチパネル等で構成されている。無線回路２５は、アンテナ２５ａを介して携帯電話網７の基地局８との間で音声、パケット信号の無線交信を行なうための回路である。音声回路２６は、マイク２８を用いて入力された音声信号を制御回路２１に伝え、制御回路２１が出力する音声信号をスピーカ２９で音声に変換するための回路である。計時回路２７はカレンダタイマで、月日を含む現在時刻を制御回路２１に伝える。
【００３６】
記憶装置２２は、ＲＯＭ、ＲＡＭ等で構成されている。ＲＡＭ領域には、広告画像記憶領域３０、表示期限記憶領域３１、一般画像記憶領域３２が設けられている他、汎用の一時記憶領域も設けられている。広告画像記憶領域３０は、表示装置２３に表示する広告画像を記憶しておく領域である。表示期限記憶領域３１は、広告画像記憶領域３０に記憶されている広告画像を表示装置２３に表示する有効期限を記憶しておく領域である。但し、有効期限が過ぎても、広告画像記憶領域３０が新たな広告画像によって更新されない限り、広告画像記憶領域３０に記憶されている広告画像が待ち受け画像として使用される。ＲＯＭには、携帯通信端末２の制御全般を司る制御プログラムが記憶されている。その制御プログラムには、次に説明する広告画像制御プログラム３３も含まれる。
【００３７】
次に、図３〜図５の制御フローを参照して、携帯通信端末２の表示装置２３に広告画像を待ち受け画像として表示させる本実施形態の広告画像配信表示システムの制御について説明する。図３〜図５は、各携帯通信端末２の記憶装置２２に記憶されている広告画像制御プログラム３３の制御フローであり、制御回路２１により実行される。
【００３８】
広告画像制御プログラム３３は、時分割で絶えず実行される。最初のステップＳ１では、制御回路２１は待ち受け画像を表示装置２３に表示するタイミングか否か判定する。待ち受け画像を表示するタイミングか否かは、ユーザの操作との関係で他の制御プログラムにより決定される。表示タイミングであるか否かは、例えば、それらの制御プログラムがセットしたフラグ情報で広告画像制御プログラム３３に伝達される。
【００３９】
待ち受け画像を表示するタイミングであった場合はステップＳ２に移り、記憶装置２２内の広告画像記憶領域３０に記憶されている広告画像を読み出す。そして、表示装置２３に表示させる（ステップＳ３）。これにより広告画像記憶領域３０に記憶されていた広告画像が待ち受け画像として表示装置２３に表示される。
【００４０】
続くステップＳ４では、表示期限記憶領域３１に記憶されている表示期限を読み出す。続くステップＳ５では計時回路２７から現在時刻を取得し、現在時刻が読み出した表示期限を過ぎているか判定する。過ぎていない場合は、そのまま最初のステップＳ１に戻る。過ぎていた場合はステップＳ６に移る。ステップＳ６では、現在表示している待ち受け画像として表示している広告画像の表示期限が切れている旨を、表示装置２３上の広告画像に重畳して表示させる。ここで、表示期限が切れていることは、広告画像記憶領域３０に記憶されている広告画像の更新が可能な状態にあることを意味する。重畳して表示させた後、ステップＳ１に戻る。後の処理フローで明らかになるように、広告画像の表示期限が切れていない間は、広告画像記憶領域３０に記憶されている広告画像の更新は許可されない。
【００４１】
ステップＳ１において待ち受け画像を表示するタイミングでなかった場合は、ステップＳ７に移る。ステップＳ７から図４のステップＳ１４までは、広告画像配信サーバ３から新たな広告画像を取得して広告画像記憶領域３０内の広告画像を更新するか否かを判定し、必要な場合に更新を行なう処理フローである。
【００４２】
ステップＳ７では、新たな広告画像を広告画像配信サーバ３から取得する指示があるか否か判定する。広告画像配信サーバ３から新たな広告画像を取得する指示は、ユーザにより入力装置２４を使用して行なわれる。指示があった場合にはステップＳ８に移り、表示期限記憶領域３１に記憶されている表示期限を読み出す。続くステップＳ９では計時回路２７から現在時刻を取得し、現在時刻が読み出した表示期限を過ぎているか判定する。過ぎていない場合はステップＳ１０に移り、広告画像を更新できない旨を表示装置２３に表示させる。この処理により、表示期限が過ぎていない限り広告画像記憶領域３０内の広告画像は新たな広告画像により更新されることはない。更新できない旨を表示させた後は最初のステップＳ１に戻る。
【００４３】
ステップＳ９において現在時刻が表示期限を過ぎていた場合は図４のステップＳ１１に移る。ステップＳ１１〜Ｓ１４は、新たな広告画像を広告画像配信サーバ３より取得して広告画像記憶領域３０内の広告画像を更新する処理フローである。ステップＳ１１では、制御回路２１は無線回路２５を介して広告画像配信サーバ３にアクセスする。広告画像配信サーバ３のＵＲＬ（Uniform Resource Locator）は予め記憶装置２２に記憶させておく。記憶させておく代わりに広告画像制御プログラム３３に固定的に書き込んでおいてもよい。
【００４４】
広告画像配信サーバ３にアクセスしたならば、新たな広告画像の送信を要求する（ステップＳ１２）。その際、制御回路２１は自己の携帯通信端末２を特定する情報（ＩＤ）を広告画像配信サーバ３に知らせる。
【００４５】
続くステップＴ１〜Ｔ５は、広告画像配信サーバ３のコンピュータ１０が実行する処理フローである。最初のステップＴ１では、受け取ったＩＤを記憶する。次に、そのＩＤからその携帯通信端末２を所有するユーザに関する情報をユーザ情報データベース１２から抽出し、抽出した情報に基づいてそのユーザに対して最も効果が期待できる広告画像を広告画像データベース１３から抽出する（ステップＴ２）。なお、ユーザ情報データベース１２内には、過去にそのユーザに提供した広告画像を特定する情報を記憶しておき（後のステップＴ５）、同じ広告画像が同じユーザに再び提供されないようにチェックを行なう。
【００４６】
提供する広告画像が決定したならば、次にその表示期限を決定する（ステップＴ３）。そして、決定した広告画像とその表示期限を携帯通信端末２に送信する（ステップＴ４）。送信した内容は、ＩＤに対応付けてユーザ情報データベース１２に記録を残す（ステップＴ５）。
【００４７】
携帯通信端末２側では、ステップＴ４において送信された新たな広告画像とその表示期限を受信する。そして、広告画像記憶領域３０内に記憶している広告画像を受け取った新たな広告画像で更新し、表示期限記憶領域３１内に記憶している表示期限の情報を受け取った新たな表示期限の情報で更新する（ステップＳ１４）。その後、ステップＳ１に戻る。これにより次回以降のステップＳ３において待ち受け画像が表示される際は、取得した新たな広告画像が表示されることになる。
【００４８】
ステップＳ７において、新たな広告画像を広告画像配信サーバ３から取得する指示がなかった場合には図５のステップＳ１５に移る。ステップＳ１５〜Ｓ２１は、広告画像記憶領域３０内に記憶している広告画像を一般画像記憶領域３２に記憶している画像情報で更新するか否かを判定し、必要な場合に更新を行なう処理フローである。一般画像記憶領域３２には、ユーザがディジタルカメラで撮った画像情報、インターネットの各種ホームページからダウンロードした画像情報、メールで受信した画像情報等が記憶されている。
【００４９】
ステップＳ１５では、一般画像記憶領域３２に記憶されている特定の画像を新たな待ち受け画像として設定する指示があるか否か判定する。指示はユーザにより入力装置２４を使用して行なわれる。指示がなかった場合は最初のステップＳ１に戻る。指示があった場合にはステップＳ１６に移り、表示期限記憶領域３１に記憶している表示期限を読み出す。続くステップＳ１７では計時回路２７から現在時刻を取得し、現在時刻が読み出した表示期限を過ぎているか判定する。過ぎていない場合はステップＳ１８に移り、広告画像（待ち受け画像）を更新できない旨を表示装置２３に表示させる。この処理により、表示期限が過ぎていない限り広告画像記憶領域３０内の広告画像は一般画像記憶領域３２に記憶されている画像により更新されることはない。更新できない旨を表示させた後は最初のステップＳ１に戻る。
【００５０】
ステップＳ１７において現在時刻が読み出した表示期限を過ぎていた場合にはステップＳ１９に移る。ステップＳ１９では、指定された特定画像を一般画像記憶領域３２から読み出し、読み出した画像情報で広告画像記憶領域３０内の広告画像の更新を行なう（ステップＳ２０）。続くステップＳ２１では、表示期限記憶領域３１内の表示期限を現在時刻で更新する。そして、最初のステップＳ１に戻る。これにより次回以降、ステップＳ３において待ち受け画像が表示される際は、指定された特定画像が待ち受け画像として表示されることになる。その際、表示期限としては、更新された時の時刻が記録されているため、ステップＳ６、Ｓ１７の判定ではその時の現在時刻は表示期限を過ぎていることになる。従って、ステップＳ１１以降、又はステップＳ１５以降の処理により、いつでも広告画像配信サーバ３から取得した広告画像、又は指定された特定画像でもって更新され得る。
【００５１】
以上、説明したような制御により、本実施形態の広告画像配信表示システム１では、広告画像配信サーバ３より取得して広告画像記憶領域３０に記憶された広告画像は、表示期限が過ぎるまで必ず待ち受け画像として使用されることが保証される。従って、広告画像配信サーバ３の設置者が、その広告画像の使用に対して通話料金の割引、景品の提供等の特典をユーザに提供することで、ユーザはその特典を享受することができる。また、ユーザは、表示期限が過ぎてしまえば、再び広告画像を取得して待ち受け画像として使用することも、あるいは、自分の好む特定画像を待ち受け画像として使用することも任意に選択することができる。
【００５２】
（第２の実施形態）
第１の実施形態に係る広告画像配信表示システム１では、広告画像配信サーバ３の提供する広告画像を待ち受け画像として使用する期間を表示期限で設定した。これに対して本実施形態の広告画像配信表示システム１ａは、広告画像を待ち受け画像として使用しなければならない期間を表示回数で指定するものである。即ち、指定された表示回数だけ待ち受け画像として使用しないことには、広告画像記憶領域３０に記憶した待ち受け画像用の広告画像を更新できないようにした実施形態である。
【００５３】
図６は、本実施形態の携帯通信端末２ａの構成をブロック図で示したものである。第１の実施形態に係る図２と異なる点は、表示期限記憶領域３１に代えて、残り表示回数記憶領域３１ａを設けた点である。残り表示回数記憶領域３１ａには、新たな広告画像を取得した時に広告画像配信サーバ３により指定された義務的な表示回数が残り表示回数として書き込まれる。その値は、広告画像記憶領域３０に記憶された広告画像が待ち受け画像として表示されるたびに減算される。残り表示回数の値がゼロになった時点で、指定された義務的な表示回数の終了となる。本実施形態の場合、計時回路２７は待ち受け画像の制御には必ずしも必要としない。
【００５４】
制御回路２１及び広告画像配信サーバ３の実行する制御フローは、第１の実施形態で説明した図３〜図５の制御フローと類似のものとなる。図７〜図９は、その制御フローである。第１の実施形態と同じ処理を行なう処理ステップには同じステップ記号が付してある。以下の説明では、それら同じ処理の説明は省略し、異なるステップ記号の付してある処理についてのみ説明する。
【００５５】
ステップＳ４ａは第１の実施形態のステップＳ４に対応するもので、表示期限を読み出す代わりに残り表示回数記憶領域３１ａに記憶している残り表示回数を読み出し、その値から１を減算して再書き込みする。但し、読み出した値がゼロであった場合は、ゼロを書き込む。ステップＳ５ａはステップＳ５に対応するもので、残り表示回数がゼロであるか判定する。ゼロであった場合は、義務的な表示回数が過ぎているのでステップＳ６ａに移り、その旨を広告画像に重畳して表示させる。ゼロでなかった場合は、義務的な表示回数に達していないのでステップＳ１に戻る。
【００５６】
ステップＳ８ａはステップＳ８に対応するもので、残り表示回数を読み出す。ステップＳ９ａはステップＳ９に対応するもので、読み出した残り表示回数がゼロか判定する。ゼロでなかった場合は、義務的な表示回数に達していないので広告画像を変更できない旨を表示し（ステップＳ１０）、ステップＳ１に戻る。ゼロであった場合は義務的な表示回数だけの表示を終了しているので図８のステップＳ１１に移り、広告画像配信サーバ３から新たな広告画像を取得する処理に移る。
【００５７】
広告画像配信サーバ３が実行するステップＴ３ａはステップＴ３に対応するもので、新たに配信する広告画像の表示期限の代わりに義務的な最小の表示回数を決定する。ステップＴ４ａはステップＴ４に対応するもので、表示期限に代えて義務的な表示回数を携帯通信機末２に送信する。
【００５８】
ステップＳ１３ａはステップＳ１３に対応するもので、携帯通信端末２は表示期限に代えて義務的な表示回数を受信する。そして、受信した義務的な表示回数を残り表示回数記憶領域３１ａに記憶させる（ステップＳ１４ａ）。ステップＳ１６ａはステップＳ１６に対応するもので、表示期限に代えて残り表示回数を読み出す。ステップＳ１７ａはステップＳ１７に対応するもので、読み出した残り表示回数がゼロか判定する。ゼロでない場合は、広告画像を変更できない旨を表示して（ステップＳ１８）、ステップＳ１に戻る。ゼロであっ場合はステップＳ１９に移り、指定された特定画像を待ち受け画像とする処理に移る。
【００５９】
ステップＳ２１ａはステップＳ２１に対応するもので、残り表示回数記憶領域３１ａの記憶する残り表示回数としてゼロを記憶させる。残り表示回数がゼロとされるため、指定された特定画像を待ち受け画像として使用している状態では、ユーザは待ち受け画像をいつでも変更することができる。
【００６０】
以上、説明したような制御により、本実施形態の広告画像配信表示システム１ａでは、広告画像配信サーバ３より取得して広告画像記憶領域３０に記憶させた広告画像は、義務的な表示回数だけ表示されるまでは必ず待ち受け画像として使用されることが保証される。従って、広告画像配信サーバ３の設置者が、その広告表示に対して通話料金の割引、景品の提供等の特典をユーザに提供することで、ユーザはその特典を享受することができる。また、ユーザは義務的な表示回数だけ表示してしまえば、新たな広告画像を取得して使用することも、あるいは、自分の好む特定画像を待ち受け画像として使用することも任意に選択することができる。
【００６１】
（第３の実施形態）
前記、第１、第２の実施形態の広告画像配信表示システム１、１ａは、広告画像配信サーバ３から取得した広告画像を待ち受け画像として使用するシステムであった。これに対して本実施形態の広告画像配信表示システムは、ユーザの操作により表示装置２３に表示される操作画像が切り替えられる際に、新たな操作画像が表示される前の所定時間の間だけ広告画像を表示させる実施形態である。広告画像を表示させる所定時間は、数秒〜数十秒の時間である。
【００６２】
本実施形態の広告画像配信表示システム、及び携帯通信端末の構成は図１、図２に示した第１の実施形態の構成と同じである。図１０、図１１は、本実施形態の制御回路２１が実行する制御フローである。この制御フローは第１の実施形態で説明した図３、図４の制御フローに類似したものとなっている。そのため図１０、図１１の制御フローでは、図３、図４に示した制御フローと同じ処理を行なう処理ステップには同じステップ記号が付してある。以下の説明では、それら同じ処理の説明は省略し、異なるステップ記号の付してある処理についてのみ説明する。
【００６３】
最初のステップＡ１では、表示装置２３に表示する操作画像が切り替えられるタイミングか否かを判定する。この操作画像の切り替えタイミングとは、ユーザが選択したメニュー画面表示、メール着信確認、メール送信、電話番号検索、待ち受け画面表示等の各種操作に従って表示装置２３に表示する操作画像が切り替えられるタイミングをいう。そのような切り替えタイミングか否かはユーザの操作との関係で他の制御プログラムが決定し、フラグ情報として広告画像制御プログラム３３に伝達される。
【００６４】
操作画像の切り替えタイミングであった場合はステップＡ２に移り、表示期限記憶領域３１から表示期限を読み出す。次に、計時回路２７から現在時刻を取得し、現在時刻が読み出した表示期限を過ぎているか判定する。過ぎていた場合は何もしないで（広告画像を表示させずに）ステップＡ７に移り、新たな操作画像の表示を開始させ、最初のステップＡ１に戻る。過ぎていない場合はステップＡ４に移る。
【００６５】
ステップＡ４では、切り替えられた新たな操作画像が直ぐには表示装置２３に表示されないように、それらの表示を一時停止させる。一時停止は、新たな操作画像を表示させる制御プログラムに対して、フラグ情報等で一時停止を指示する方法で行なう。一時停止させた後、広告画像記憶領域３０に記憶している広告画像を読み出す（ステップＡ５）。そして、読み出した広告画像を表示装置２３に所定時間（例えば、１〜２秒間）だけ表示させる（ステップＡ６）。表示を終えたならば、ステップＡ４で指示した一時停止を解除し、切り替えられた新たな操作画像を表示させる（ステップＡ７）。そして、最初のステップＡ１に戻る。
【００６６】
これらステップＡ１〜Ａ７の処理フローにより、広告画像記憶領域３０に記憶されている広告画像は、表示装置２３に表示される操作画像が切り替えられる度に短時間表示される。表示は、表示期限が過ぎるまで必ず行なわれる。従って、広告画像配信サーバ３の設置者が、その広告画像の使用に対して通話料金の割引、景品の提供等の特典をユーザに提供することで、ユーザはその特典を享受することができる。表示期限が過ぎると広告画像の表示は行なわれなくなる。
【００６７】
ステップＡ１で操作画像を切り替えるタイミングでないと判定された場合はステップＳ７に移る。ステップＳ７から図１１のステップＳ１４までは新たな広告画像を取得する処理フローであり、第１の実施形態の場合と同じである。なお、本実施形態では、第１の実施形態で行なったような広告画像を一般画像記憶領域３２内の特定画像で置き換える処理は行なわない。
【００６８】
（第４の実施形態）
第３の実施形態に係る広告画像配信表示システムは、広告画像配信サーバ３の提供する広告画像を使用する期間を表示期限で設定した。これに対して本実施形態の広告画像配信表示システムは、広告画像を使用しなければならない期間を表示回数で指定するように変更したものである。即ち、指定された表示回数だけ操作画像の切り替え時に表示しないことには広告画像記憶領域３０に記憶した広告画像を更新できないようにした実施形態である。本実施形態の広告画像配信表示システム、及び携帯通信端末の構成は図１、図６に示した構成と同じである。
【００６９】
制御回路２１の実行する制御フローは、第３の実施形態で説明した図１０、図１１の制御フローと類似のものとなる。図１２、図１３は、その制御フローである。第３の実施形態と同じ処理を行なう処理ステップには同じステップ記号が付してある。以下の説明では、それら同じ処理の説明は省略し、異なるステップ記号の付してある処理についてのみ説明する。
【００７０】
ステップＡ２ａは第３の実施形態のステップＡ２に対応するもので、表示期限を読み出す代わりに残り表示回数記憶領域３１ａに記憶している残り表示回数を読み出す。ステップＡ３ａはステップＡ３に対応するもので、残り表示回数がゼロであるか判定する。ゼロであった場合は、義務的な表示回数を超えているので何もしないで（広告画像を表示させずに）ステップＡ７に移り、新たな操作画像を取得する処理に移る。ゼロでなかった場合は、義務的な表示回数に達していないのでステップＡ４に移る。
【００７１】
ステップＡ４〜Ａ６では、第３の実施形態の場合と同様に広告画像を新たな操作画像の表示前に短時間だけ表示させる。ステップＡ６ａは追加した処理ステップで、残り表示回数記憶領域３１ａに記憶している残り表示回数から１を減算して再書き込みする。但し、読み出した値がゼロであった場合は、ゼロを書き込む。そして、新たな操作画像の表示を開始させる（ステップＡ７）。
【００７２】
ステップＳ７から図１３のステップＳ１４ａまでは、広告画像記憶領域３０に記憶している広告画像を広告画像配信サーバ３から取得した新たな広告画像で更新する処理フローである。第２の実施形態における図７のステップＳ７から図８のステップＳ１４ａまでと同じで処理であるので説明を省略する。なお、本実施形態でも第２の実施形態で行なったような広告画像を一般画像記憶領域３２内の特定画像で置き換える処理は行なわない。
【００７３】
本実施形態の場合もステップＡ１〜Ａ７の処理フローにより、広告画像記憶領域３０に記憶されている広告画像は、表示装置２３に表示される操作画像が切り替えられる度に短時間表示される。表示は、指定された表示回数だけ表示されるまで必ず行なわれる。従って、広告画像配信サーバ３の設置者が、その広告画像の使用に対して通話料金の割引、景品の提供等の特典をユーザに提供することで、ユーザはその特典を享受することができる。指定された表示回数だけ表示されると広告画像の表示は行なわれなくなる。
【００７４】
（第５の実施形態）
本実施形態は第１の実施形態に係る広告画像配信表示システム１の変形実施形態である。第１の実施形態では、一つの広告画像のみを広告画像配信サーバ３から受け取って広告画像記憶領域３０に記憶しておき、毎回、同じ広告画像を表示させた。これに対して本実施形態は複数の広告画像を記憶しておいて、それらを切り替えて表示させるものである。
【００７５】
本実施形態の広告画像配信表示システム及び携帯通信端末の構成は図１、図２に示した構成と同じである。構成で異なる点は、広告画像記憶領域３０の詳細構成である。図１４に、本実施形態における広告画像記憶領域３０の構成を示す。広告画像記憶領域３０には複数の広告画像のデータを記憶しておく広告画像データ領域３０ａと、それら複数の広告画像の表示順序を記憶しておく表示順序テーブル３０ｂと、次回に表示する表示番号を記憶しておく次回表示番号領域３０ｃとが設けてある。
【００７６】
図１４には、３種類の広告画像を切り替え表示する場合の構成例が示してある。３種類の広告画像は広告画像Ａ、広告画像Ｂ、広告画像Ｃのファイル名を付して記憶してある。表示順序テーブル３０ｂには、表示順を示す番号に対応して表示すべき広告画像のファイル名が記憶してある。表示順の最後のファイル名欄には、番号１の表示に戻ることを示すＥＮＤ記号が記憶してある。
【００７７】
図１４中の表示順序テーブル３０ｂでは、表示する広告画像の順序がＡ→Ｂ→Ａ→Ｃとなっている。これは、表示番号１〜４を１サイクルの表示として、その間に広告画像Ａは２回、広告画像Ｂ、広告画像Ｃは各１回表示することを表わしている。このように頻度高く表示したい広告画像を１サイクルの表示順内に複数割り当てることにより、各広告画像の表示頻度に重み付けを行なうことができる。次回表示番号領域３０ｃには、次に表示する表示順の番号が記憶される。
【００７８】
次に、本実施形態の制御フローについて説明する。本実施形態は複数の広告画像を切り替え表示する点が第１の実施形態と異なるのみであるので、制御フローの基本は同じである。従って、図３〜図５に示した第１の実施形態の制御フローに加える変更点についてのみ説明する。
【００７９】
第１の実施形態の図３の制御フローにおけるステップＳ２は、広告画像記憶領域３０に記憶している一つの広告画像のデータの読み出しを行なう部分である。本実施形態では複数の広告画像を指定された順序に従って切り替え表示するため、この部分を図１５に示す制御フローに置き換える。
【００８０】
図１５のステップＳ２ａでは、次回表示番号領域３０ｃに記憶している表示番号を読み出す。そして、その番号に対応したファイル名を表示順序テーブル３０ｂから読み出す（ステップＳ２ｂ）。ステップＳ２ｃでは、読み出したファイル名がＥＮＤであるかチェックする。ＥＮＤであった場合は次回表示番号領域３０ｃに１を書き込み（ステップＳ２ｄ）、ステップＳ２ａに戻る。ＥＮＤでなかった場合は次回表示番号領域３０ｃの番号に１を加えておき（ステップＳ２ｅ）、続くステップＳ２ｆでファイル名に対応した広告画像のデータを広告画像データ領域３０ａから読み出す。その後、ステップＳ３に移り、読み出した広告画像を表示装置２３に表示させる。
【００８１】
第１の実施形態における図４のステップＴ４は広告画像配信サーバ３より広告画像と表示期限を携帯通信端末２に送信する処理を行なう部分であるが、本実施形態では広告画像として図１４に示したような複数の広告画像のデータとそれらの表示順序を指定する表示順序テーブル３０ｂを送信するように変更する。携帯通信端末２は、受け取った情報を広告画像記憶領域３０内の対応する領域に記憶させる（ステップＳ１４）。その際、次回表示番号領域３０ｃには１を書き込んでおく。
【００８２】
第１の実施形態における図５のステップＳ２０は、特定画像のデータを広告画像記憶領域３０に書き込む処理を行なう部分であるが、本実施形態では特定画像のデータを広告画像データ領域３０ａに書き込むことに加え、表示順序テーブル３０ｂの番号１の欄にそのファイル名を書き込み、番号２の欄にＥＮＤを書き込む。更に、次回表示番号領域３０ｃには１を書き込んでおく。
【００８３】
以上のような制御フローの変更により、図１４に示した例では広告画像を待ち受け画像としてＡ→Ｂ→Ａ→Ｃの順に繰り返し表示させることができる。また、表示期限が過ぎてユーザが特定画像を待ち受け画面に表示させる操作を行なった場合には、それ以降、毎回、同じ特定画像を表示させることができる。
【００８４】
（第６の実施形態）
本実施形態は第２の実施形態の変形実施形態であって、同じ広告画像を表示させることに代えて複数の広告画像を切り替え表示させるものである。広告画像を切り替え表示させる点が異なるだけであるので、第２の実施形態に対して第５の実施形態で行なったと同様の変更を加えることで実施できる。
【００８５】
具体的には、広告画像配信表示システム及び携帯通信端末は図１、図６と同じように構成し、広告画像記憶領域３０は第５の実施形態で説明した図１４と同じように構成する。制御フローについては、図７〜図８の制御フローに対して次のような変更を加える。即ち、図７のステップＳ２は、第５の実施形態で説明した図１５のフローに置き換える。図８のステップＴ４ａでは、広告画像として図１４に示したような複数の広告画像のデータとそれらの表示順序を指定する表示順序テーブル３０ｂを送信するように変更する。携帯通信端末２は、受け取った情報をステップＳ１４ａにおいて広告画像記憶領域３０内の対応する領域に記憶させる。その際、次回表示番号領域３０ｃには１を書き込む。
【００８６】
図９のステップＳ２０は、特定画像のデータを広告画像記憶領域３０に書き込む処理を行なう部分であるが、本実施形態では特定画像のデータを広告画像データ領域３０ａに書き込むことに加え、表示順序テーブル３０ｂの番号１の欄にそのファイル名を書き込み、番号２の欄にＥＮＤを書き込む。更に、次回表示番号領域３０ｃには１を書き込む。
【００８７】
以上のような制御フローの変更により、図１４に示した例では広告画像を待ち受け画像としてＡ→Ｂ→Ａ→Ｃの順に繰り返し表示させることができる。また、表示期限が過ぎてユーザが特定画像を待ち受け画像として表示させる操作を行なった場合には、それ以降、毎回、同じ特定画像を表示させることができる。
【００８８】
（第７の実施形態）
本実施形態は第３の実施形態の変形実施形態であって、操作画像の切り替えの際に同じ広告画像を短時間表示させることに代えて、複数の広告画像を切り替え表示させるものである。広告画像を切り替え表示させる点が異なるだけであるので、第３の実施形態に対して第５の実施形態で行なったと同様の変更を加えることで実施できる。
【００８９】
具体的には、広告画像配信表示システム及び携帯通信端末は図１、図２と同じように構成し、広告画像記憶領域３０は第５の実施形態で説明した図１４と同じように構成する。制御フローについては、図１０、図１１の制御フローに対して次のような変更を加える。即ち、図１０のステップＡ５は、第５の実施形態で説明した図１５のフローに置き換える。図１１のステップＴ４では、広告画像として図１４に示したような複数の広告画像のデータとそれらの表示順序を指定する表示順序テーブル３０ｂを送信するように変更する。携帯通信端末２は、受け取った情報をステップＳ１４において広告画像記憶領域３０内の対応する領域に記憶させる。その際、次回表示番号領域３０ｃには１を書き込む。
【００９０】
以上のような制御フローの変更により、図１４に示した例では広告画像を操作画像の切り替え毎にＡ→Ｂ→Ａ→Ｃの順に繰り返し表示させることができる。
【００９１】
（第８の実施形態）
本実施形態は第４の実施形態の変形実施形態であって、操作画像の切り替えの際に同じ広告画像を短時間表示させることに代えて、複数の広告画像を切り替え表示させるものである。広告画像を切り替え表示させる点が異なるだけであるので、第４の実施形態に対して第５の実施形態で行なったと同様の変更を加えることで実施できる。
【００９２】
具体的には、広告画像配信表示システム及び携帯通信端末は図１、図６と同じように構成し、広告画像記憶領域３０は第５の実施形態で説明した図１４と同じように構成する。制御フローについては、図１２、図１３の制御フローに対して次のような変更を加える。即ち、図１２のステップＡ５は、第５の実施形態で説明した図１５のフローに置き換える。図１３のステップＴ４ａでは、広告画像として図１４に示したような複数の広告画像のデータとそれらの表示順序を指定する表示順序テーブル３０ｂを送信するように変更する。携帯通信端末２は、受け取った情報をステップＳ１４ａにおいて広告画像記憶領域３０内の対応する領域に記憶させる。その際、次回表示番号領域３０ｃには１を書き込む。
【００９３】
以上のような制御フローの変更により、図１４に示した例では広告画像を操作画像の切り替え毎にＡ→Ｂ→Ａ→Ｃの順に繰り返し表示させることができる。
【図面の簡単な説明】
【００９４】
【図１】第１の実施形態に係る広告画像配信表示システム１の全体構成を示すブロック図である。
【図２】第１の実施形態に係る携帯通信端末２のブロック図である。
【図３】第１の実施形態に係る広告画像制御プログラム３３の制御フローである。
【図４】図３の制御フローの続き部分である。
【図５】図４の制御フローの続き部分である。
【図６】第２の実施形態に係る携帯通信端末２ａのブロック図である。
【図７】第２の実施形態に係る広告画像制御プログラム３３の制御フローである。
【図８】図７の制御フローの続き部分である。
【図９】図８の制御フローの続き部分である。
【図１０】第３の実施形態に係る広告画像制御プログラム３３の制御フローである。
【図１１】図１０の制御フローの続き部分である。
【図１２】第４の実施形態に係る広告画像制御プログラム３３の制御フローである。
【図１３】図１２の制御フローの続き部分である。
【図１４】第５〜第８の実施形態に係る広告画像記憶領域３０の構成例である。
【図１５】第５〜第８の実施形態で行なう制御フローの置き換え部分である。
【符号の説明】
【００９５】
図面中、１、１ａは広告画像配信表示システム、２は携帯通信端末、３は広告画像配信サーバ、４は通信ネットワーク、１２はユーザ情報データベース、１３は広告画像データベース、２１は制御回路、２２は記憶装置、２３は表示装置、３０は広告画像記憶領域、３１は表示期限記憶領域、３１ａは残り表示回数記憶領域、３２は一般画像記憶領域を示す。
【図１】
2008022586.tif 000003
【図２】
2008022586.tif 000004
【図３】
2008022586.tif 000005
【図４】
2008022586.tif 000006
【図５】
2008022586.tif 000007
【図６】
2008022586.tif 000008
【図７】
2008022586.tif 000009
【図８】
2008022586.tif 000010
【図９】
2008022586.tif 000011
【図１０】
2008022586.tif 000012
【図１１】
2008022586.tif 000013
【図１２】
2008022586.tif 000014
【図１３】
2008022586.tif 000015
【図１４】
2008022586.tif 000016
【図１５】
2008022586.tif 000017